(57)【要約】【課題】エネルギーの消費形態に応じて還元するポイントを柔軟に変更可能なポイント還元システム及びポイント還元方法を提供する。【解決手段】単一又は複数のエネルギー消費機器３０と、エネルギー消費機器３０の運転情報を受信可能なサーバ１０と、を備え、単一のエネルギー消費機器３０は、複数の運転モード４１，４２，４３を有し、複数のエネルギー消費機器３０は、夫々が1つ以上の運転モードを有することで全体として複数の運転モード４１，４２，４３を有しており、サーバ１０は、運転情報に基づいて複数の運転モード４１，４２，４３毎の運転履歴の取得が可能であり、複数の運転モード４１，４２，４３毎にポイントの算定基準を設定するポイント基準設定部１４と、運転履歴及び算定基準に基づいてポイントを算定するポイント算定部１５と、ポイント算定部１５によって算定されたポイントを管理するポイント管理部１６と、を有する。【選択図】図１
2020154800.tif 000002
【特許請求の範囲】
【請求項１】
エネルギー消費機器の運転動作に基づいて金銭的価値を有するポイントを還元するポイント還元システムであって、
単一又は複数の前記エネルギー消費機器と、
前記エネルギー消費機器の運転情報を受信可能なサーバと、を備え、
単一の前記エネルギー消費機器は、複数の運転モードを有し、複数の前記エネルギー消費機器は、夫々が1つ以上の運転モードを有することで全体として複数の運転モードを有しており、
前記サーバは、
前記運転情報に基づいて複数の前記運転モード毎の運転履歴の取得が可能であり、
複数の前記運転モード毎に前記ポイントの算定基準を設定するポイント基準設定部と、
前記運転履歴及び前記算定基準に基づいて前記ポイントを算定するポイント算定部と、
前記ポイント算定部によって算定された前記ポイントを管理するポイント管理部と、を有するポイント還元システム。
【請求項２】
前記エネルギー消費機器は、
前記ポイント管理部に管理された前記ポイントの情報を表示する表示手段を有する請求項１に記載のポイント還元システム。
【請求項３】
前記サーバと通信可能な通信機器を備え、
前記エネルギー消費機器及び前記通信機器のうち少なくとも一方は、
前記ポイント管理部に管理された前記ポイントの情報を表示する表示手段を有する請求項１に記載のポイント還元システム。
【請求項４】
前記表示手段は、
前記ポイント管理部に管理された前記ポイント、及び、前記運転モード毎の前記算定基準に基づいて、前記ポイントを利用する上で不足するポイント数と、前記ポイント数を取得するための前記エネルギー消費機器の運転条件とのうち、少なくとも１つを表示するよう構成されている請求項２又は３に記載のポイント還元システム。
【請求項５】
前記表示手段は、
前記エネルギー消費機器に対して運転停止の操作がされたときに、前記ポイント数と、前記エネルギー消費機器の前記運転条件とのうち、少なくとも１つを表示するよう構成されている請求項４に記載のポイント還元システム。
【請求項６】
前記サーバに対して、前記ポイント管理部に管理された前記ポイントの利用申請を行う利用申請手段を備え、
前記サーバは、前記利用申請に基づいて前記ポイントの利用処理を行うポイント処理部を有する請求項１から５のいずれか一項に記載のポイント還元システム。
【請求項７】
前記サーバと通信可能な通信機器を備え、
前記エネルギー消費機器は、前記通信機器を介して前記運転情報を前記サーバに送信するよう構成されている請求項１から６のいずれか一項に記載のポイント還元システム。
【請求項８】
エネルギー消費機器の運転動作に基づいて金銭的価値を有するポイントを還元するポイント還元方法であって、
単一又は複数の前記エネルギー消費機器と、前記エネルギー消費機器の運転情報を受信可能なサーバと、を備え、単一の前記エネルギー消費機器は、複数の運転モードを有し、複数の前記エネルギー消費機器は、夫々が1つ以上の運転モードを有することで全体として複数の運転モードを有し、前記サーバは前記運転情報に基づいて複数の前記運転モード毎の運転履歴の取得が可能である構成において、
複数の前記運転モード毎の運転履歴を記録する履歴記録工程と、
複数の前記運転モード毎に還元する前記ポイントの算定基準を設定するポイント基準設定工程と、
前記運転履歴及び前記算定基準に基づいて前記ポイントを算定するポイント算定工程と、
前記ポイント算定工程によって算定された前記ポイントを管理するポイント管理工程と、を備えたポイント還元方法。
【発明の詳細な説明】
【技術分野】
【０００１】
本発明は、ポイント還元システムに関し、特に、利用者などが世帯などで消費したエネルギーに応じて商品やサービスの代価の支払いに充当可能なポイントを還元することができるポイント還元システム及びポイント還元方法に関する。
【背景技術】
【０００２】
従来、利用者のエネルギー消費量に基づき、利用者毎に対応したポイントを設定し、利用者が、エネルギーに関連する商品またはサービスを購入する際に、商品またはサービスの代価を利用者に対応したポイントに基づき割引くポイント還元システムが存在する（例えば、特許文献１）。
【先行技術文献】
【特許文献】
【０００３】
【特許文献１】特開２００２−２９８２２５号公報
【発明の概要】
【発明が解決しようとする課題】
【０００４】
特許文献１にも記載されているように、従来のポイント還元システムはエネルギー消費量に応じてポイントが付与されるのが一般的であり、エネルギーをどのように消費したかについてはポイントに考慮されない。そのため、例えば複数の機器のうち省エネルギー効果の高い機器を選択して使用したことだけでは、ポイントは還元されない。また、エネルギー供給事業者においては、機器が有する複数の運転モードのうち推奨したい運転モードが存在したとしても、その運転モードでの運転のみではポイントを還元することはできない。このように、従来のポイント還元システムにおいては、ポイント還元のバリエーションが少ないために改善の余地があった。
【０００５】
そこで、本発明は上述の課題に鑑みてなされたものであり、エネルギーの消費形態に応じて還元するポイントを柔軟に変更可能なポイント還元システム及びポイント還元方法を提供する。
【課題を解決するための手段】
【０００６】
本発明に係るポイント還元システムは、
エネルギー消費機器の運転動作に基づいて金銭的価値を有するポイントを還元するポイント還元システムであって、その特徴構成は、
単一又は複数の前記エネルギー消費機器と、
前記エネルギー消費機器の運転情報を受信可能なサーバと、を備え、
単一の前記エネルギー消費機器は、複数の運転モードを有し、複数の前記エネルギー消費機器は、夫々が1つ以上の運転モードを有することで全体として複数の運転モードを有しており、
前記サーバは、
前記運転情報に基づいて複数の前記運転モード毎の運転履歴の取得が可能であり、
複数の前記運転モード毎に前記ポイントの算定基準を設定するポイント基準設定部と、
前記運転履歴及び前記算定基準に基づいて前記ポイントを算定するポイント算定部と、
前記ポイント算定部によって算定された前記ポイントを管理するポイント管理部と、を有する点にある。
【０００７】
本特徴構成によれば、エネルギー消費機器を使用する際に還元される金銭的価値を有するポイントをエネルギー消費量とは別の観点である、運転モードに基づいて適宜付与することができる。例えば、エネルギー消費機器の運転履歴に基づいて還元するポイントについて、運転モード毎に軽重の差をつけて設定をすることができる。これにより、例えば、エネルギー消費機器において省エネルギーに寄与する運転モードの運転に対してポイントをより多く付与することができる。その結果、エネルギー消費機器によるエネルギーの消費形態に応じて還元されるポイントを柔軟に変化させることができ、エネルギー消費機器において特定の運転モードの使用を効果的に促進させることができる。また、ポイント還元システムを構成するエネルギー消費機器は、複数の運転モードを有する単一のエネルギー消費機器によって構成してもよく、複数のエネルギー消費機器の夫々が１つ以上の運転モードを有し複数のエネルギー消費機器が全体として複数の運転モードを有する構成でもよい。したがって、単一又は複数のエネルギー消費機器が有する複数の運転モード毎の運転履歴に対応したポイント還元システムを実現することができる。
【０００８】
本発明に係るポイント還元システムの更なる特徴構成は、
前記エネルギー消費機器は、
前記ポイント管理部に管理された前記ポイントの情報を表示する表示手段を有する点にある。
【０００９】
本特徴構成によれば、エネルギー消費機器が有する表示手段によってポイントの情報が表示されるので、利用者は例えば自身が保有するポイント等を容易に把握することができる。
【００１０】
本発明に係るポイント還元システムの更なる特徴構成は、
前記サーバと通信可能な通信機器を備え、
前記エネルギー消費機器及び前記通信機器のうち少なくとも一方は、
前記ポイント管理部に管理された前記ポイントの情報を表示する表示手段を有する点にある。
【００１１】
本特徴構成によれば、エネルギー消費機器又は通信機器が有する表示手段によってポイントの情報が表示されるので、利用者は例えば自身が保有するポイント等を容易に把握することができる。
【００１２】
本発明に係るポイント還元システムの更なる特徴構成は、
前記表示手段は、
前記ポイント管理部に管理された前記ポイント、及び、前記運転モード毎の前記算定基準に基づいて、前記ポイントを利用する上で不足するポイント数と、前記ポイント数を取得するための前記エネルギー消費機器の運転条件とのうち、少なくとも１つを表示するよう構成されている点にある。
【００１３】
本特徴構成によれば、表示手段によって、不足するポイントや、ポイントを利用する上で必要とされるエネルギー消費機器の運転条件を表示することができる。これにより、利用者は、ポイントの情報を考慮しつつ、エネルギー消費機器の運転モードを選択することができる。その結果、利用者がエネルギー消費機器を使用する上での利便性が向上する。
【００１４】
本発明に係るポイント還元システムの更なる特徴構成は、
前記表示手段は、
前記エネルギー消費機器に対して運転停止の操作がされたときに、前記ポイント数と、前記エネルギー消費機器の前記運転条件とのうち、少なくとも１つ表示するよう構成されている点にある。
【００１５】
本特徴構成によれば、利用者がエネルギー消費機器の運転を停止する際に、表示手段によって、不足するポイントや、当該ポイントを利用する上で必要とされるエネルギー消費機器の運転条件を表示することができる。これにより、利用者は、ポイントの情報を考慮しつつ、エネルギー消費機器の運転の継続か停止かを決定することができる。その結果、利用者がエネルギー消費機器を使用する上での利便性が向上する。
【００１６】
本発明に係るポイント還元システムの更なる特徴構成は、
前記サーバに対して、前記ポイント管理部に管理された前記ポイントの利用申請を行う利用申請手段を備え、
前記サーバは、前記利用申請に基づいて前記ポイントの利用処理を行うポイント処理部を有する点にある。
【００１７】
本特徴構成によれば、サーバに対してポイントの利用申請を行うことで、ポイント処理部によってポイントの利用処理が行われる。これにより、利用者は自身が保有するポイントを確実に利用することができる。その結果、利用者がポイントを利用する上での利便性が向上する。
【００１８】
本発明に係るポイント還元システムの更なる特徴構成は、
前記サーバと通信可能な通信機器を備え、
前記エネルギー消費機器は、前記通信機器を介して前記運転情報を前記サーバに送信するよう構成されている点にある。
【００１９】
例えば、エネルギー消費機器が通信機能を有しない場合や、エネルギー消費機器が通信機能を有する場合であってもエネルギー消費機器からサーバへの通信が断絶する場合には、サーバに対してエネルギー消費機器の運転情報を送信することができない。そこで、本構成では、サーバと通信可能な通信機器を備え、エネルギー消費機器は、通信端末を介して運転情報をサーバに送信可能に構成されている。すなわち、エネルギー消費機器の運転情報を例えばスマートフォンなどの通信端末によって取得することで、通信端末からエネルギー消費機器の運転情報をサーバに送信することができる。これにより、エネルギー消費機器とサーバとが通信不能である場合であっても、エネルギー消費機器の運転情報をサーバに確実に送信することができる。エネルギー消費機器の運転情報は、エネルギー消費機器に通信端末を接続して送信する方法や、ＱＲコード（登録商標）等の画像に変換して変換後の画像を通信端末が有するカメラで取得する方法等を用いることで、通信端末に入力することができる。
【００２０】
本発明に係るポイント還元方法は、
エネルギー消費機器の運転動作に基づいて金銭的価値を有するポイントを還元するポイント還元方法であって、その特徴構成は、
単一又は複数の前記エネルギー消費機器と、前記エネルギー消費機器の運転情報を受信可能なサーバと、を備え、単一の前記エネルギー消費機器は、複数の運転モードを有し、複数の前記エネルギー消費機器は、夫々が1つ以上の運転モードを有することで全体として複数の運転モードを有し、前記サーバは前記運転情報に基づいて複数の前記運転モード毎の運転履歴の取得が可能である構成において、
複数の前記運転モード毎の運転履歴を記録する履歴記録工程と、
複数の前記運転モード毎に還元する前記ポイントの算定基準を設定するポイント基準設定工程と、
前記運転履歴及び前記算定基準に基づいて前記ポイントを算定するポイント算定工程と、
前記ポイント算定工程によって算定された前記ポイントを管理するポイント管理工程と、を備えた点にある。
【００２１】
本構成のポイント還元方法によれば、エネルギー消費機器を使用する際に還元される金銭的価値を有するポイントをエネルギー消費量とは別の観点である、運転モードに基づいて適宜付与することができる。例えば、エネルギー消費機器の運転履歴に基づいて還元するポイントについて、運転モード毎に軽重の差をつけて設定をすることができる。これにより、例えば、エネルギー消費機器において省エネルギーに寄与する運転モードの運転に対してポイントをより多く付与することができる。その結果、エネルギー消費機器によるエネルギーの消費形態に応じて還元されるポイントを柔軟に変化させることができ、エネルギー消費機器において特定の運転モードの使用を効果的に促進させることができる。また、本構成のポイント還元方法では、エネルギー消費機器は、複数の運転モードを有する単一のエネルギー消費機器によって構成してもよく、複数のエネルギー消費機器の夫々が１つ以上の運転モードを有し複数のエネルギー消費機器が全体として複数の運転モードを有する構成でもよい。したがって、ポイント還元方法によって、単一又は複数のエネルギー消費機器が有する複数の運転モード毎の運転履歴に対応したポイントを還元することができる。
【図面の簡単な説明】
【００２２】
【図１】ポイント還元システムの構成を示す図である。
【図２】ポイント基準設定部において設定される運転モード毎のポイントの算定基準の一例を示す図である。
【図３】エネルギー消費機器の運転履歴に基づいて還元されるポイントの表示例を示す図である。
【図４】ポイントを使用する上で不足するポイントの情報の表示例を示す図である。
【図５】ポイント還元システムにおいてエネルギー消費機器とサーバとの通信が断絶したときのデータの流れを示す図である。
【発明を実施するための形態】
【００２３】
本発明に係るポイント還元システムの実施形態について、図面を参照して説明する。
【００２４】
〔第１実施形態〕
図１において、ポイント還元システム１００は、サーバ１０と、サーバ１０にインターネット回線２０を介して通信される複数のエネルギー消費機器３０と、を備え、エネルギー消費機器３０の運転動作に基づいて、その利用者に金銭的価値を有するポイントを還元する。エネルギー消費機器３０は、機器が有する通信部４７又は通信機器５０からインターネット回線２０を介してサーバ１０と通信可能に構成されている。サーバ１０はエネルギー消費機器３０の運転情報を受信可能に構成されている。
【００２５】
本実施形態では、複数のエネルギー消費機器３０は、給湯器３１と家庭用電気機器３２とによって構成されている。給湯器３１は、複数の運転モードを備えている。給湯器３１の複数の運転モードとして、例えば、浴槽へのお湯はりモード４１、床暖房モード４２、浴室暖房モード４３等が存在する。
【００２６】
給湯器３１及び家庭用電気機器３２は、通信機器５０に対して通信可能に構成されている。通信機器５０は、例えばスマートフォンやタブレット等の携帯端末である。給湯器３１は、表示部４４（表示手段の一例）を有する操作部４０を備える。
【００２７】
給湯器３１の操作部４０は、サーバ１０及び通信機器５０と通信可能に構成されている。
また、給湯器３１は、操作部４０から入力される操作に基づいて給湯器３１の運転を制御する制御部４５を有し、制御部４５には運転モード毎の運転履歴を記録する履歴記録部４６が設けられている。
【００２８】
操作部４０の表示部４４は、給湯器３１の運転モード毎の運転履歴が表示可能に構成されている。操作部４０は、サーバ１０及び通信機器５０と通信するための通信部４７を有する。
【００２９】
サーバ１０は、給湯器３１及び通信機器５０との通信を制御する通信制御部１１と、データ管理部１２と、を有する。データ管理部１２には、運転履歴管理部１３、ポイント基準設定部１４、ポイント算定部１５、ポイント管理部１６、及び、ポイント処理部１７を有する。サーバ１０は、エネルギー消費機器３０の運転情報に基づいて複数の運転モード毎の運転履歴の取得が可能である。本実施形態では、エネルギー消費機器３０から運転履歴を含む運転情報をサーバ１０が受信した後に、運転履歴管理部１３において複数の運転モード毎の運転履歴を管理する。なお、エネルギー消費機器３０の機器の運転情報（運転履歴を除く）を機器側からサーバ１０に対してリアルタイムに送信し、当該運転情報をサーバ１０が受信した後に、サーバ１０が当該運転情報に基づいて複数の運転モード毎の運転履歴を取得し、運転履歴管理部１３が取得後の当該運転履歴を管理する構成でもよい。
【００３０】
ポイント基準設定部１４は、給湯器３１を含むエネルギー消費機器３０の運転モード毎に還元するポイントの算定基準を設定する。ポイント基準設定部１４において設定される運転モード毎のポイントの算定基準の一例を図２に示す。図２に示す例では、給湯器３１の各運転モードに対してポイントの算定基準が設定されている。具体的には、ポイント基準設定部１４において、ポイント算定基準として、お湯はりモード４１は１回当たり５０ポイント、床暖房モード４２は１時間当たり１００ポイント、浴室暖房モード４３は１時間あたり１５０ポイント等のように、還元するポイントの算定基準を設定する。
【００３１】
上記は、ポイント基準設定部１４において設定される給湯器３１の運転モード毎の算定基準の一例である。家庭用電気機器３２については、ポイント基準設定部１４においてポイント算定基準が別途設定される。家庭用電気機器３２のポイント算定基準については、例えばエアコンの冷房運転が除湿運転よりも省エネルギー効果がある場合に、除湿運転を１時間当たり５０ポイント、冷房運転を１時間当たり１００ポイントとする設定にしてもよい。また、冷蔵庫や洗濯機においても省エネルギー効果がある運転モードが存在する場合には、運転モード毎に還元するポイントに軽重を付けて設定してもよい。その他、太陽光発電電力に余剰が生じる時間帯ではエアコンの暖房運転に対して還元するポイントを高くし、太陽光発電電力に余剰のない時間帯では給湯器３１の床暖房モード４２の運転に対して還元するポイントを高くする設定にしてもよい。
【００３２】
その他、運転モード毎に還元するポイントの算定基準と、エネルギー消費量に比例して還元するポイントの算定基準とを併用してもよい。例えば、お湯はりモード４１におけるエネルギー消費量をαとした場合に、床暖房モード４２におけるエネルギー消費量がその２倍の２αであるときに、お湯はりモード４１に１００ポイント、床暖房モード４２に２００ポイントを還元する設定にしてもよい。
【００３３】
ポイント算定部１５は、複数の運転モード毎の運転履歴及び算定基準に基づいて還元するポイントを算定する。ポイント管理部１６は、ポイント算定部１５によって算定されたポイントを管理する。ポイント処理部１７は、エネルギー消費機器３０又は通信機器５０からの利用申請に基づいてポイント管理部１６に管理されたポイントの利用処理を行う。
【００３４】
上記の実施形態では、複数のエネルギー消費機器３０の１つである給湯器３１が複数の運転モード４１〜４３を有する例を示したが、複数のエネルギー消費機器３０は個々が１つ以上の運転モードを有し、全体として複数の運転モードを有する構成でもよい。また、エネルギー消費機器３０は、単一の運転モードを有する機器と、複数の運転モードを有する機器が混在してもよく、複数の運転モードを有する機器のみで構成されていてもよい。
【００３５】
エネルギー消費機器３０の運転モード毎のポイントは、エネルギー消費機器３０の表示部４４や通信機器５０の表示部５１に表示することができる。エネルギー消費機器３０及び通信機器５０は、アプリケーションソフトが組み込まれることで夫々の表示部４４，５１にポイントを表示されるよう構成されている。
【００３６】
図３に、給湯器３１（エネルギー消費機器３０）の運転モード毎のポイントの表示例を示す。図３に示す例では、例えば給湯器３１に運転履歴に基づいて、運転モード別のポイント取得履歴、運転モード別の累積取得ポイント、全ての運転モードで取得した合計の累積取得ポイント等が表示されている。
【００３７】
エネルギー消費機器３０又は通信機器５０は、サーバ１０に対してポイント管理部１６に管理されたポイントの利用申請を行う利用申請手段を有する。利用申請手段は、例えばエネルギー消費機器３０及び通信機器５０に組み込まれるアプリケーションソフトの機能の一つとして追加される。
【００３８】
エネルギー消費機器３０又は通信機器５０からの利用申請は、サーバ１０のポイント処理部１７によって処理される。ポイント処理部１７の処理によって、例えば１０００ポイントを１０００円の商品券等と交換することができる。
【００３９】
エネルギー消費機器３０の表示部４４や通信機器５０の表示部５１は、ポイントに関わる他の情報を表示することができる。図４に、表示部４４、５１に表示するポイントの情報の例を示す。こうしたポイントの情報は、エネルギー消費機器３０の運転開始時や運転動作に係る操作時等において表示される。
【００４０】
図４に示す例では、ポイント管理部１６に管理されたポイント、及び、運転モード毎の算定基準に基づいて、ポイントを利用する上で不足するポイント数と、当該ポイント数を取得するためのエネルギー消費機器３０の運転条件と、を表示されている。すなわち、エネルギー消費機器３０の表示部４４や通信機器５０は、例えば、現在保有するポイント数に基づいて、あと何ポイントで商品等交換条件を満たすか、あとどれくらい運転モードの運転を継続すれば商品等交換条件を満たすか、等を表示する。図４に示す例では、運転モードの運転時間を表示しているが、運転モードの回数を表示する構成でもよい。
【００４１】
給湯器３１の表示部４４や通信機器５０の表示部５１は、エネルギー消費機器３０に対して運転停止の操作がされたときに、図４に示すポイントの情報を表示してもよい。
【００４２】
ポイント還元システム１００の動作について、図１を参照して以下に説明を行う。
はじめに、利用者宅に設置されているエネルギー消費機器３０の給湯器３１を使用すると、制御部４５の履歴記録部４６は運転モード毎の運転履歴を記録する（履歴記録工程）。履歴記録部４６の運転履歴は、通信部４７からサーバ１０に送信される。
【００４３】
エネルギー消費機器３０には機器ＩＤが付与されており、機器ＩＤは運転モード毎の運転履歴と共にサーバ１０に送信される。機器ＩＤは、利用者の機器毎に設定されているため、機器ＩＤによって機器と利用者との関係を識別することができる。
【００４４】
家庭用電気機器３２は、図示しない制御部に運転履歴が記憶され、当該運転履歴は通信機器５０に一旦送信された後に通信機器５０からサーバ１０に送信される。なお、通信機器５０から操作部４０の通信部４７を介してサーバ１０に送信してもよい。
【００４５】
サーバ１０では、データ管理部１２の運転履歴管理部１３に運転履歴が格納される。ポイント基準設定部１４では、予めエネルギー消費機器３０の運転モード毎のポイントの算定基準が設定されている（ポイント基準設定工程）。ポイント算定部１５は、給湯器３１の運転履歴、家庭用電気機器３２の運転履歴、及び、ポイント基準設定部１４で設定された算定基準に基づいて、還元するポイントがそれぞれ算定される（ポイント算定工程）。その後、ポイント算定部１５によって算定されたポイントがポイント管理部１６に管理される（ポイント管理工程）。
【００４６】
ポイント管理部１６に管理されるポイントの情報は、給湯器３１の操作部４０の表示部４４、又は、通信機器５０に表示することができる。また、利用者は、適宜、給湯器３１の操作部４０又は通信機器５０からポイント管理部１６に管理されたポイントの利用申請を行うことができる。
【００４７】
エネルギー消費機器３０の操作部４０とサーバ１０との間の通信は、通信状況によっては断絶する場合がある。その場合に備えて、本実施形態では、エネルギー消費機器３０は、通信機器５０を介して運転情報をサーバ１０に送信可能に構成されている。なお、給湯器３１の操作部４０とサーバ１０との間の通信の断絶は、通信部４７とサーバ１０との通信が確立した状態において所定時間内にサーバ１０からの信号を通信部４７が受信できなかった場合等に判断される。
【００４８】
ポイント還元システム１００において、給湯器３１の通信部４７とサーバ１０との通信が断絶した場合の動作について、図５を参照して以下に説明を行う。
はじめに、利用者宅に設置されているエネルギー消費機器３０の給湯器３１を使用すると、履歴記録部４６は運転モード毎の運転履歴を記録する。給湯器３１の履歴記録部４６に記録されている運転履歴（運転情報の一例）は、通信機器５０を用いて読み取る。
【００４９】
給湯器３１から通信機器５０に向けての運転情報（運転履歴を含む）の授受は、例えば、給湯器３１の表示部４４に運転情報を表示した画像やコード化したもの（例えばＱＲコード（登録商標））を通信機器５０が有するカメラで撮影して取込むことが可能となる。これにより、通信機器５０からサーバ１０に運転情報を送信することができる。上記のＱＲコード（登録商標）には、例えば、給湯器３１の運転モード毎の運転状況、機器の製造番号、ＭＡＣアドレス等の情報が格納される。
【００５０】
給湯器３１の運転情報は、ＵＳＢ等のインターフェースを用いてデータとして通信機器５０に出力し、通信機器５０に入力された運転情報のデータを通信機器５０からサーバ１０に送信するようにしてもよい。その他、給湯器３１の操作部４０にブルーツース（ｂｌｕｅｔｏｏｔｈ（登録商標））等により近距離無線接続された通信機器５０に給湯器３１の運転情報を送信するようにしてもよい。なお、給湯器３１から通信機器５０の送信される運転情報（例えば運転状況）に基づいてサーバ１０において運転履歴の取得が可能である構成の場合には、給湯器３１の運転情報に運転履歴を含めなくてもよい。
【００５１】
その後の動作については、図１を参照して説明した上記の流れと同様である。
【００５２】
〔別実施形態〕
（１）上記の実施形態では、ポイント還元システム１００が通信機器５０を備えて構成される例を示したが、ポイント還元システム１００は通信機器５０を備えずに構成してもよい。ただし、その場合には、エネルギー消費機器３０の家庭用電気機器３２についても、それぞれがサーバ１０と通信可能に構成される必要がある。
【００５３】
（２）上記の実施形態においては、給湯器３１の運転モード毎の運転履歴と、家庭用電気機器３２の運転履歴とに基づいてポイントを還元する例を説明したが、給湯器３１のように、複数の運転モードを有する単一のエネルギー消費機器３０のみでポイント還元システム１００を構成してもよい。また、単一または複数の家庭用電気機器３２が有する複数の運転モードの運転履歴と電気の使用量とを取得し、対応するポイントを設定してもよい。要するに、ポイント還元システム１００およびポイント還元方法は、利用者が所有するエネルギー消費機器３０の運転モードの運転履歴に基づき、利用者毎に対応したポイントが還元される構成であればよい。また、上記の実施形態では、複数のエネルギー消費機器３０の夫々が制御部に運転履歴を記憶する履歴記録部（例えば給湯器３１の履歴記録部４６）を有する構成を示したが、複数のエネルギー消費機器３０の運転履歴を一括して記憶する履歴記録部を有する制御装置を複数のエネルギー消費機器３０とは別に設ける構成でもよい。
【００５４】
（３）ポイント還元システム１００は、全部または一部の手段（または、装置、素子、回路、部等）の機能をコンピュータにより実行させるためのプログラムを用いて実行され、コンピュータと協働して動作させるものである。
【００５５】
また、ポイント還元方法についても、全部または一部のステップの動作をコンピュータにより実行させるためのプログラムを用いて実行され、コンピュータと協働して動作させるものである。
【００５６】
（４）上記の実施形態では、図４に示すようにポイントの情報を表示部４４，５１に表示する例を示したが、ポイントの情報は音声報知する構成であってもよい。
【００５７】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００５８】
１０    ：サーバ
１１    ：通信制御部
１２    ：データ管理部
１３    ：運転履歴管理部
１４    ：ポイント基準設定部
１５    ：ポイント算定部
１６    ：ポイント管理部
１７    ：ポイント処理部
２０    ：インターネット回線
３０    ：エネルギー消費機器
３１    ：給湯器
３２    ：家庭用電気機器
４０    ：操作部
４１    ：お湯はりモード（運転モード）
４２    ：床暖房モード（運転モード）
４３    ：浴室暖房モード（運転モード）
４４    ：表示部（表示手段）
４５    ：制御部
４６    ：履歴記録部
４７    ：通信部
５０    ：通信機器
５１    ：表示部（表示手段）
１００  ：ポイント還元システム
【図１】
2020154800.tif 000003
【図２】
2020154800.tif 000004
【図３】
2020154800.tif 000005
【図４】
2020154800.tif 000006
【図５】
2020154800.tif 000007